(57)【特許請求の範囲】
【請求項１】
既設の電柱を撤去して、同じ位置に新しい電柱を建てるときに使用される電柱元穴建替用架線物仮移設工具であって、
支持台と、
前記支持台に支持されて鉛直方向に立ち上がるよう設けられた仮柱本体と、
前記支持台に載置された支持用錘と、
前記仮柱本体から水平方向に伸びるよう、一端が前記仮柱本体に着脱可能に設けられた支持アームと、
前記仮柱本体から左右両側に水平方向に伸びるよう、前記仮柱本体に設けられた弓支線アームと、
一端が前記弓支線アームより上方で前記仮柱本体に固定され、それぞれ前記弓支線アームの異なる側の端部を介して下方に垂らされた１対の弓支線と、
各弓支線の先端にそれぞれ吊り下げられた１対の振止用錘とを有し、
前記仮柱本体が前記既設の電柱または前記新しい電柱に並べて設置されているとき、前記支持アームが前記既設の電柱または前記新しい電柱に着脱可能に架け渡されるとともに、前記既設の電柱から取り外した架線を支持可能に構成されていることを
特徴とする電柱元穴建替用架線物仮移設工具。
【請求項２】
前記仮柱本体は、複数の連結柱を着脱可能に連結して成ることを特徴とする請求項１記載の電柱元穴建替用架線物仮移設工具。
【請求項３】
前記仮柱本体は、高さ方向に沿った１または複数の区間にＦＲＰ製の絶縁部を有し、
前記支持アームは、前記架線のうち電線を支持するよう、前記絶縁部に取り付けられたＦＲＰ製の電線支持アームを有していることを
特徴とする請求項１または２記載の電柱元穴建替用架線物仮移設工具。
【請求項４】
一端が前記支持アームの中心部に取り付けられたアームタイを有し、
前記アームタイは、前記仮柱本体が前記既設の電柱または前記新しい電柱に並べて設置されているとき、他端を前記既設の電柱または前記新しい電柱と前記仮柱本体との間で付け替え可能に、前記一端を中心として、前記支持アームより下方の前記支持アームを含む鉛直面内で回転可能に設けられていることを
特徴とする請求項１乃至３のいずれか１項に記載の電柱元穴建替用架線物仮移設工具。
【請求項５】
請求項１乃至４のいずれか１項に記載の電柱元穴建替用架線物仮移設工具を使用して、既設の電柱を撤去して、同じ位置に新しい電柱を建てるための電柱元穴建替工法であって、
前記支持アームの他端で、前記支持アームを前記既設の電柱に水平に取り付けた後、前記既設の電柱から架線を取り外して前記支持アームに移設し、前記支持アームで支持させる架線取外移動工程と、
前記支持台に、前記支持アームが届く範囲で前記既設の電柱に並べて前記仮柱本体を立て、前記支持台に前記支持用錘を載せ、前記仮柱本体から左右両側に水平方向に伸びるよう、前記仮柱本体に前記弓支線アームを取り付け、各弓支線の一端を前記弓支線アームより上方で前記仮柱本体に固定し、各弓支線をそれぞれ前記弓支線アームの異なる側の端部を介して下方に垂らし、各振止用錘を各弓支線の先端にそれぞれ吊り下げる仮柱設置工程と、
前記支持アームの一端を前記仮柱本体に固定した後、前記支持アームの他端を前記既設の電柱から取り外すアーム移設工程と、
前記既設の電柱を撤去する電柱撤去工程と、
前記既設の電柱と同じ場所に前記新しい電柱を立てる電柱新設工程と、
前記支持アームから前記架線を取り外して前記新しい電柱に移設する架線取付移動工程と、
各振止用錘、各弓支線、前記弓支線アーム、前記支持アーム、前記支持用錘、前記仮柱本体および前記支持台を撤去する仮柱撤去工程とを、
有することを特徴とする電柱元穴建替工法。
【発明の詳細な説明】
【技術分野】
【０００１】
本発明は、電柱元穴建替用架線物仮移設工具および電柱元穴建替工法に関する。
【背景技術】
【０００２】
一般に、電柱を建て替える際には、建て替える既存の電柱の近傍に新しい電柱を建て、既存の電柱から新しい電柱に電線等の架線を移設した後、既存の電柱を撤去する方法が行われている。しかし、この方法では、新しい電柱を建てる土地を確保する必要があるため、その土地を確保できない場合などには、既存の電柱の位置に新しい電柱を建てる必要がある。
【０００３】
従来、既存の電柱の位置に新しい電柱を建てる方法として、既存の電柱に電柱建替工具を取り付けて、電柱建替工具の保持具に電線等の架線を移設した後、その電柱建替工具を既存の電柱から取り外してクレーンで吊り下げておき、既存の電柱を撤去してその位置に新しい電柱を建てた後、電柱建替工具を新しい電柱に取り付けて、電線等の架線を新しい電柱に移設する方法がある（例えば、特許文献１参照）。
【先行技術文献】
【特許文献】
【０００４】
【特許文献１】特開２０１０−４１７９８号公報
【発明の概要】
【発明が解決しようとする課題】
【０００５】
しかしながら、特許文献１に記載の方法では、大型重機のクレーンを使用するため、広い作業スペースが必要となり、大型重機が入れない狭い場所では実施することができないという課題があった。
【０００６】
本発明は、このような課題に着目してなされたもので、大型重機が入れない比較的狭い場所でも、撤去する電柱と同じ位置に新しい電柱を建てることができ、埋設物損傷リスクおよび用地交渉が伴う新たな建柱穴を必要としない電柱元穴建替用架線物仮移設工具および電柱元穴建替工法（電柱建替用仮柱および電柱建替方法）を提供することを目的とする。
【課題を解決するための手段】
【０００７】
上記目的を達成するために、本発明に係る電柱建替用仮柱は、既設の電柱を撤去して、同じ位置に新しい電柱を建てるときに使用される電柱建替用仮柱であって、支持台と、前記支持台に支持されて鉛直方向に立ち上がるよう設けられた仮柱本体と、前記支持台に載置された支持用錘と、前記仮柱本体から水平方向に伸びるよう、一端が前記仮柱本体に着脱可能に設けられた支持アームと、前記仮柱本体から左右両側に水平方向に伸びるよう、前記仮柱本体に設けられた弓支線アームと、一端が前記弓支線アームより上方で前記仮柱本体に固定され、それぞれ前記弓支線アームの異なる側の端部を介して下方に垂らされた１対の弓支線と、各弓支線の先端にそれぞれ吊り下げられた１対の振止用錘とを有し、前記仮柱本体が前記既設の電柱または前記新しい電柱に並べて設置されているとき、前記支持アームが前記既設の電柱または前記新しい電柱に着脱可能に架け渡されるとともに、前記既設の電柱から取り外した架線を支持可能に構成されていることを特徴とする。
【０００８】
本発明に係る電柱建替方法は、本発明に係る電柱建替用仮柱を使用して、既設の電柱を撤去して、同じ位置に新しい電柱を建てるための電柱建替方法であって、前記支持アームの他端で、前記支持アームを前記既設の電柱に水平に取り付けた後、前記既設の電柱から架線を取り外して前記支持アームに移設し、前記支持アームで支持させる架線取外移動工程と、前記支持台に、前記支持アームが届く範囲で前記既設の電柱に並べて前記仮柱本体を立て、前記支持台に前記支持用錘を載せ、前記仮柱本体から左右両側に水平方向に伸びるよう、前記仮柱本体に前記弓支線アームを取り付け、各弓支線の一端を前記弓支線アームより上方で前記仮柱本体に固定し、各弓支線をそれぞれ前記弓支線アームの異なる側の端部を介して下方に垂らし、各振止用錘を各弓支線の先端にそれぞれ吊り下げる仮柱設置工程と、前記支持アームの一端を前記仮柱本体に固定した後、前記支持アームの他端を前記既設の電柱から取り外すアーム移設工程と、前記既設の電柱を撤去する電柱撤去工程と、前記既設の電柱と同じ場所に前記新しい電柱を立てる電柱新設工程と、前記支持アームから前記架線を取り外して前記新しい電柱に移設する架線取付移動工程と、各振止用錘、各弓支線、前記弓支線アーム、前記支持アーム、前記支持用錘、前記仮柱本体および前記支持台を撤去する仮柱撤去工程とを、有することを特徴とする。
【０００９】
本発明に係る電柱建替用仮柱および電柱建替方法は、支持台に支持された仮柱本体を利用することにより、クレーン等の大型重機を使用することなく、架線の付け替えや電柱の建て替えを行うことができる。このため、大型重機が入れない比較的狭い場所でも、撤去する電柱と同じ位置に新しい電柱を建てることができる。これにより、埋設物損傷リスクおよび用地交渉が伴う新たな建柱穴を必要としない。本発明に係る電柱建替用仮柱および電柱建替方法は、支持台で仮柱本体を支持して立てるため、地面に仮柱本体の基礎用の穴を開ける必要がなく、容易かつ迅速に仮柱本体を立てることができ、当日建設および当日撤去が可能である。また、弓支線アーム、各弓支線および各振止用錘により、仮柱本体が左右に振れるのを防ぐことができ、仮柱本体の転倒を防止することができる。支持用錘は、仮柱本体が転倒するのを防ぐよう、重さや支持台に載せる位置が定められていることが好ましい。
【００１０】
本発明に係る電柱建替用仮柱で、前記仮柱本体は、複数の連結柱を着脱可能に連結して成ることが好ましい。この場合、仮柱本体を複数の連結柱に分割することにより、嵩張らず、容易に運搬することができる。また、電柱建替の現場で、複数の連結柱を連結して仮柱本体を組み立てることができるため、比較的狭いスペースで仮柱本体を立てる作業を行うことができる。また、仮柱本体を撤去するときも、狭いスペースで作業を行うことができる。使用しないときにも、狭いスペースに保管することができる。
【００１１】
本発明に係る電柱建替用仮柱で、前記仮柱本体は、高さ方向に沿った１または複数の区間にＦＲＰ製の絶縁部を有し、前記支持アームは、前記架線のうち電線を支持するよう、前記絶縁部に取り付けられたＦＲＰ製の電線支持アームを有していることが好ましい。この場合、ＦＲＰ（繊維強化プラスチック）製の絶縁部および電線支持アームにより、電線に電流を流したままの状態でも、仮柱の導電遮断が可能となるため、より安全に作業を行うことができる。このため、ほぼ無停電で電柱の建て替えを行うことができる。仮柱本体が複数の連結柱から成る場合には、いくつかの連結柱をＦＲＰ製で構成しておき、電線支持アームの取付位置にＦＲＰ製の連結柱を使用することが好ましい。
【００１２】
本発明に係る電柱建替用仮柱は、一端が前記支持アームの中心部に取り付けられたアームタイを有し、前記アームタイは、前記仮柱本体が前記既設の電柱または前記新しい電柱に並べて設置されているとき、他端を前記既設の電柱または前記新しい電柱と前記仮柱本体との間で付け替え可能に、前記一端を中心として、前記支持アームより下方の前記支持アームを含む鉛直面内で回転可能に設けられていてもよい。この場合、アームタイにより、水平に取り付けられた支持アームを補強することができる。また、アームタイの他端を、既設の電柱または新しい電柱と仮柱本体との間で付け替え可能に構成されているため、支持アームを補強した状態で常に水平に維持しておくことができる。
【発明の効果】
【００１３】
本発明によれば、大型重機が入れない比較的狭い場所でも、撤去する電柱と同じ位置に新しい電柱を建てることができる電柱建替用仮柱および電柱建替方法を提供することができる。
【図面の簡単な説明】
【００１４】
【図１】本発明の実施の形態の電柱建替用仮柱の使用状態を示す正面図である。
【図２】図１に示す電柱建替用仮柱の使用状態を示す、支持台付近の（ａ）拡大平面図、（ｂ）拡大側面図である。
【発明を実施するための形態】
【００１５】
以下、図面に基づき、本発明の実施の形態について説明する。
図１および図２は、本発明の実施の形態の電柱建替用仮柱を示している。
図１および図２に示すように、電柱建替用仮柱１０は、既設の電柱１を撤去して、同じ位置に新しい電柱２を建てるときに使用される電柱建替用仮柱１０であって、支持台１１と仮柱本体１２と支持用錘１３と通信線支持アーム１４と低圧線支持アーム１５と高圧線支持アーム１６とアームタイ１７と弓支線アーム１８と弓支線１９と振止用錘２０とを有している。
【００１６】
図１および図２に示すように、支持台１１は、鋼製の角柱を組み合わせて形成された２つの矩形状の枠体２１と、各枠体２１を連結する１対の連結鋼２２と、仮柱本体１２を固定するためのフレーム鋼２３と３本のブレス鋼２４とを有している。各枠体２１は、設置面上に所定の間隔を開けて互いに平行に配置され、両端部よりやや中央寄りの位置で、各連結鋼２２により連結されている。各枠体２１および各連結鋼２２は、所定の平面的な広がりの範囲を占めるよう設けられている。また、連結鋼２２の長さを変えることで、道路占有面積を変えることが可能で、より狭隘な箇所への設置も可能となる。
【００１７】
図１に示すように、仮柱本体１２は、円柱状を成し、複数の連結柱２５ａ〜２５ｅを着脱可能に連結して成っている。各連結柱２５ａ〜２５ｅは、鋼製またはＦＲＰ製で、端部にフランジを有し、フランジ同士をボルトおよびナットで結合することにより、連結可能になっている。なお、図１に示す具体的な一例では、仮柱本体１２は、５本の連結柱２５ａ〜２５ｅを連結して成っている。仮柱本体１２は、下から順に、長さ約５ｍの鋼製の連結柱２５ａ、長さ約２ｍのＦＲＰ製の連結柱２５ｂ、長さ約２ｍの鋼製の連結柱２５ｃ、長さ約２ｍの鋼製の連結柱２５ｄ、長さ約２ｍのＦＲＰ製の連結柱２５ｅで構成されている。また、充電部の位置等に合わせ、ＦＲＰ製連結柱の位置を変えられる。
【００１８】
図１および図２に示すように、仮柱本体１２は、下端が、支持台１１の一方の枠体２１の中心位置に、金具で着脱可能に固定されている。また、仮柱本体１２は、鉛直方向に立ち上がるよう、下端部が、仮柱本体１２に沿って枠体２１から立ち上がるフレーム鋼２３で、着脱可能に固定されている。また、一方の枠体２１の両端部および他方の枠体２１の中央部から斜めに伸びる３本のブレス鋼２４により、フレーム鋼２３より上部で着脱可能に固定されている。さらに、仮柱本体１２は、フレーム鋼２３とブレス鋼２４の取り付け位置をずらすことで、傾斜地においても仮柱本体１２を垂直に保持できる機能を有す。このように、仮柱本体１２は、支持台１１に支持されている。
【００１９】
図１および図２に示すように、支持用錘１３は、直方体状で、３００ｋｇ以上の重さを有している。支持用錘１３は、上部の両端に１対の持ち手１３ａを有している。支持用錘１３は、支持台１１が仮柱本体１２の重みで転倒しないよう、支持台１１の各枠体２１に、それぞれ４つずつ並べて載置されている。
【００２０】
図１に示すように、通信線支持アーム１４は、鋼製で、互いに平行に配置された１対の連結アーム２６と、各連結アーム２６の中央部を連結する垂直アーム２７と、垂直アーム２７に設けられた通信線を留めるための複数の留め具２８とを有している。通信線支持アーム１４は、仮柱本体１２から水平方向に伸びるよう、各連結アーム２６の一端が仮柱本体１２に着脱可能に取り付けられている。通信線支持アーム１４は、各留め具２８で、電話線などの通信線を支持するようになっている。
【００２１】
低圧線支持アーム１５は、互いに平行に配置されたＦＲＰ製の１対の連結アーム２９と、各連結アーム２９の中央部を連結するＦＲＰ製の垂直アーム３０と、垂直アーム３０に設けられた低圧線を留めるための複数のフック３１とを有している。低圧線支持アーム１５は、仮柱本体１２から水平方向に伸びるよう、各連結アーム２９の一端が仮柱本体１２に着脱可能に取り付けられている。低圧線支持アーム１５は、各フック３１で低圧線を支持するようになっている。
【００２２】
通信線支持アーム１４および低圧線支持アーム１５は、仮柱本体１２が既設の電柱１または新しい電柱２に並べて設置されているとき、既設の電柱１または新しい電柱２に着脱可能に架け渡されるとともに、既設の電柱１から取り外した通信線および低圧線をそれぞれ支持可能に構成されている。
【００２３】
高圧線支持アーム１６は、鋼製の一本の角棒から成り、水平方向に伸びるよう、中央部で仮柱本体１２に着脱可能に取り付けられている。高圧線支持アーム１６は、高圧線を掛けて支持するようになっている。
【００２４】
なお、図１に示す具体的な一例では、通信線支持アーム１４は、下から２番目のＦＲＰ製の連結柱２５ｂに取り付けられている。低圧線支持アーム１５は、各連結アームが、一番上のＦＲＰ製の連結柱２５ｅおよび上から２番目の鋼製の連結柱２５ｄにそれぞれ取り付けられている。高圧線支持アーム１６は、一番上のＦＲＰ製の連結柱２５ｅに取り付けられている。
【００２５】
アームタイ１７は、鋼製で、２本から成り、それぞれ一端が、通信線支持アーム１４の下方の連結アーム２６および低圧線支持アーム１５の下方の連結アーム２９の中心部に取り付けられている。各アームタイ１７は、一端を中心として、連結アーム２６，２９より下方の連結アーム２６，２９を含む鉛直面内で回転可能に設けられている。各アームタイ１７は、仮柱本体１２が既設の電柱１または新しい電柱２に並べて設置されているとき、他端を既設の電柱１または新しい電柱２と、仮柱本体１２との間で付け替え可能になっている。
【００２６】
弓支線アーム１８は、仮柱本体１２から左右両側に水平方向に伸びるよう設けられたアーム本体３２と、アーム本体３２を支持するために、それぞれアーム本体３２の両端から仮柱本体１２に、斜め下方に架け渡された支持アーム３３と、アーム本体３２の両端部に設けられた1対の滑車３４とを有している。弓支線１９は、１対から成り、一端が弓支線アーム１８より上方で仮柱本体１２に固定され、それぞれ弓支線アーム１８の各滑車３４を介して下方に垂らされている。振止用錘２０は、１対から成り、各弓支線１９の先端にそれぞれ吊り下げられている。各振止用錘２０は、支持用錘１３と同じものから成っている。
【００２７】
本発明の実施の形態の電柱建替方法は、電柱建替用仮柱１０を使用して好適に実施される。本発明の実施の形態の電柱建替方法では、まず、撤去する既設の電柱１に通信線支持アーム１４および低圧線支持アーム１５を、アームタイ１７を利用して水平に取り付ける。これらの取付後、既設の電柱１から通信線および低圧線を取り外し、それぞれ通信線支持アーム１４の垂直アーム２７と留め具２８、および低圧線支持アーム１５の垂直アーム３０とフック３１に移設する。既設の電柱１の隣に、支持台１１を設置し、連結柱２５ａ〜２５ｅを連結しながら仮柱本体１２を鉛直に立てていく。このとき、通信線支持アーム１４および低圧線支持アーム１５が届く範囲に、仮柱本体１２を設置する。
【００２８】
仮柱本体１２を立てるとき、まず、下の２つの連結柱２５ａ，２５ｂを支持台１１に取り付けた後、通信線支持アーム１４の一端を２番目の連結柱２５ｂに取り付け、そのアームタイ１７の他端も下の連結柱２５ａに付け替える。支持台１１および仮柱本体１２が倒れないよう、支持台１１に支持用錘１３を載せる。また、フレーム鋼２３および各ブレス鋼２４で連結柱２５ａ，２５ｂを支持する。次に、３番目から５番目の連結柱２５ｃ，２５ｄ，２５ｅを連結し、弓支線アーム１８を３番目の連結柱２５ｃに取り付ける。各弓支線１９の一端を４番目の連結柱２５ｄに固定し、各弓支線１９をそれぞれ弓支線アーム１８の各滑車３４を介して下方に垂らし、各振止用錘２０を各弓支線１９の先端にそれぞれ吊り下げる。
【００２９】
４番目と５番目の連結柱２５ｄ，２５ｅに、低圧線支持アーム１５の一端を取り付け、そのアームタイ１７の他端も４番目の連結柱２５ｄに付け替える。高圧線支持アーム１６を５番目の連結柱２５ｅの上部に取り付けた後、既設の電柱１から高圧線を高圧線支持アーム１６に移設する。通信線支持アーム１４および低圧線支持アーム１５の他端を、既設の電柱１から取り外した後、既設の電柱１を撤去する。
【００３０】
次に、既設の電柱１と同じ場所に、新しい電柱２を立てる。通信線および低圧線を通信線支持アーム１４および低圧線支持アーム１５から取り外して新しい電柱２に移設する。また、高圧線も高圧線支持アーム１６から新しい電柱２に移設する。高圧線支持アーム１６、低圧線支持アーム１５、振止用錘２０、弓支線１９、弓支線アーム１８、通信線支持アーム１４、支持用錘１３、仮柱本体１２および支持台１１を順次、撤去する。こうして、既設の電柱１を撤去して、同じ位置に新しい電柱２を建てることができる。
【００３１】
本発明の実施の形態の電柱建替用仮柱１０および電柱建替方法は、支持台１１に支持された仮柱本体１２を利用することにより、クレーン等の大型重機を使用することなく、架線の付け替えや電柱の建て替えを行うことができる。このため、大型重機が入れない比較的狭い場所でも、新たな建柱穴を開けずに撤去する電柱と同じ位置に新しい電柱２を建てることができる。本発明の実施の形態の電柱建替用仮柱１０および電柱建替方法は、支持台１１で仮柱本体１２を支持して立てるため、地面に仮柱本体１２の基礎用の穴を開ける必要がなく、容易かつ迅速に仮柱本体１２を立てることができ、当日建設および当日撤去が可能である。また、弓支線アーム１８、各弓支線１９および各振止用錘２０により、仮柱本体１２が左右に振れるのを防ぐことができ、仮柱本体１２の転倒を防止することができる。
【００３２】
本発明の実施の形態の電柱建替用仮柱１０および電柱建替方法では、仮柱本体１２を複数の連結柱２５ａ〜２５ｅに分割することにより、嵩張らず、容易に運搬することができる。また、電柱建替の現場で、複数の連結柱２５ａ〜２５ｅを連結して仮柱本体１２を組み立てることができるため、比較的狭いスペースで仮柱本体１２を立てる作業を行うことができる。また、仮柱本体１２を撤去するときも、狭いスペースで作業を行うことができる。使用しないときにも、狭いスペースに保管することができる。
【００３３】
低圧線支持アーム１５、およびこれを支持する連結柱２５ｂ，２５ｅが、ＦＲＰ製であるため、電線に電流を流したままの状態でも、仮柱の導体遮断が可能となるため、より安全に作業を行うことができる。このため、ほぼ無停電で電柱の建て替えを行うことができる。また、作業中、アームタイ１７により、通信線支持アーム１４および低圧線支持アーム１５を、補強した状態で常に水平に維持しておくことができる。
【符号の説明】
【００３４】
１  既設の電柱
２  新しい電柱
１０  電柱建替用仮柱
１１  支持台
２１  枠体
２２  連結鋼
２３  フレーム鋼
２４  ブレス鋼
１２  仮柱本体
２５ａ，２５ｂ，２５ｃ，２５ｄ，２５ｅ  連結柱
１３  支持用錘
１３ａ  持ち手
１４  通信線支持アーム
２６  連結アーム
２７  垂直アーム
２８  留め具
１５  低圧線支持アーム
２９  連結アーム
３０  垂直アーム
３１  フック
１６  高圧線支持アーム
１７  アームタイ
１８  弓支線アーム
３２  アーム本体
３３  支持アーム
３４  滑車
１９  弓支線
２０  振止用錘
【要約】
【課題】大型重機が入れない比較的狭い場所でも、新たな建柱穴を開けずに撤去する電柱と同じ位置に新しい電柱を建てることができる電柱元穴建替用架線物仮移設工具および電柱元穴建替工法を提供する。
【解決手段】仮柱本体１２が、支持台１１に支持されて鉛直方向に立ち上がるよう設けられている。支持用錘１３が支持台１１に載置されている。通信線支持アーム１４および低圧線支持アーム１５が、仮柱本体１２から水平方向に伸びるよう、一端が仮柱本体１２に着脱可能に設けられている。通信線支持アーム１４および低圧線支持アーム１５は、仮柱本体１２が既設の電柱１または新しい電柱２に並べて設置されているとき、既設の電柱１または新しい電柱２に着脱可能に架け渡されるとともに、既設の電柱１から取り外した通信線および低圧線をそれぞれ支持可能に構成されている。
【選択図】図１【図１】
0005527864.tif 000002
【図２】
0005527864.tif 000003